(57)【要約】【課題】患者側と医師等の側の双方にとっての使い勝手の向上と、機器の信頼性の向上を可能とする生体情報収集装置を提供することを目的とするものである。【解決手段】生体情報収集装置本体１に各種医療用具と電気的に接続するための複数の接続部３と、各種医療用具から収集した生体情報や機器の操作方法等を表示する表示部５と、音声を取り込むための音声入力部１０を有し、音声入力部１０を生体情報収集装置本体１から引き出せるような構成とする。これにより、音声入力部１０と各種医療用具等から発せられる音声発生部１０との距離を小さくすることができ、また音声の受信に適した構成を実現することができるため、患者側と医師等の側の双方にとっての使い勝手の向上と、機器の信頼性の向上を可能とするものである。【選択図】図１
2005102793.tif 000002
【特許請求の範囲】
【請求項１】
生体情報収集装置本体に各種医療用具と電気的に接続するための複数の接続部と、各種医療用具から収集した生体情報や機器の操作方法等を表示する表示部と、音声を取り込むための音声入力部を有し、前記音声入力部を生体情報収集装置本体から引き出せるような構成とした生体情報収集装置。
【請求項２】
音声入力部の上部に各種医療用具等を載置するための載置部を構成した請求項１に記載の生体情報収集装置。
【請求項３】
音声入力部を、生体情報収集装置本体の前面に構成した請求項１または２に記載の生体情報収集装置。
【請求項４】
生体情報収集装置本体に各種医療用具と電気的に接続するための複数の接続部と、各種医療用具から収集した生体情報や機器の操作方法等を表示する表示部と、生体情報収集装置本体から引き出せるような構成とした音声を取り込むための音声入力部と、前記音声入力部への音声入力を司るスイッチ部を有し、前記スイッチ部により前記音声入力部が生体情報収集装置本体から引き出された状態を検知した場合に音声入力されるように構成された生体情報収集装置。
【請求項５】
音声入力部の上部に各種医療用具等を載置するための載置部を構成した請求項４に記載の生体情報収集装置。
【請求項６】
音声入力部を、生体情報収集装置本体の前面に構成した請求項４または５に記載の生体情報収集装置。
【発明の詳細な説明】
【技術分野】
【０００１】
本発明は、患者及びその家族が家庭等において、各種医療用具を用いることにより自分自身、あるいは患者のさまざまな生体情報を採取し、その採取された情報を利用して健康管理を行う、あるいはそれを病院等に伝送することにより医師等による遠隔診療を実現するという生体情報収集装置に関するものである。
【背景技術】
【０００２】
従来、各種医療用具を用いることにより自分自身、あるいは患者のさまざまな生体情報を採取し、その生体情報を用いて健康管理を行う、あるいはそうして得られた生体情報を病院等に伝送することにより医師等による遠隔診療を実現するという生体情報収集装置が提案されている（例えば、特開文献１参照）。
【０００３】
このような機器を用いることにより、患者の側にとっては、わざわざ病院等に出向いて体温、血圧等の生体情報を測定する必要を回避することが可能となり、身体への負担の低減と、拘束時間の低減が可能となる。また、医師等の側にとっても、一人の患者の診療にかけることのできる診療時間を短縮することが可能となり、診療の質的な向上が可能となる。すなわち、従来の医療行ためと比較すると、患者と医師等の双方にとっての利便性の向上を可能とするという特徴を有するものである。
【０００４】
その一般的な例を図８に示す機器により説明する。図８に示すように、生体情報収集装置は、生体情報収集装置本体３０と、患者の各種生体情報を測定するための体温計や血圧計等の医療用具３１、生体情報収集装置本体３０及び医療用具３１の操作方法や、医療用具３１により測定された生体情報等のデータを表示する表示部３２、医療用具３１と生体情報収集装置本体３０とを接続し、医療用具３１により測定された生体情報等のデータを生体情報収集装置本体３０に伝送する際に用いられる第一のリード線３３、また場合によっては、生体情報収集装置本体３０と電話回線等の一般公衆回線を接続し、生体情報等のデータを生体情報収集装置本体３０から病院等に勤務している医師等のもとに伝送する第二のリード線３４により構成されている。また、生体情報収集装置本体３０には、マイク等から構成される音声入力部３５が設けられており、データとしての「音声」を送信する機能を有している。
【０００５】
患者あるいはその家族は、医療用具３１を用いて自分自身あるいは患者の各種生体情報等を採取した後、第一のリード線３３を用いて生体情報収集装置本体３０と医療用具３１を接続することにより、採取した生体情報等のデータを生体情報収集装置本体３０に伝送する構成となっている。
【０００６】
さらに、場合によってはこの生体情報収集装置本体３０に収集された生体情報等のデータは、生体情報収集装置本体３０から第二のリード線３４、公衆電話回線等という順に伝送され、病院等に勤務している医師等のもとに伝送される構成となっている。この伝送されたデータを用いることにより、医師等は遠隔診療を行うことが可能となる。
【特許文献１】特開２００２−３４９３５号公報
【発明の開示】
【発明が解決しようとする課題】
【０００７】
しかしながら、このような従来の構成の生体情報収集装置にあっては、使用者が生体情報収集装置を使用する際に、音声入力部３５の位置が音声の発生部から遠いため音声を十分に収集することができない、あるいは音声入力部３５の位置が悪く収集した音声の質が十分でない等の問題がある。その結果として、病院等に勤務している医師等のもとに音声の伝送ができない、あるいは音声を受信した側において受信音が実際に発生している音声と異なるものであると認識してしまうことにより、誤った処方を行うという可能性等が指摘されており、患者側と医師等の側の双方にとって使い勝手が悪い、あるいは機器の信頼性に劣るという課題が存在する。
【０００８】
また、心電計のように微細な音声情報を診療に用いる医療用具においては、生体情報収集装置本体３０の音声入力部６とその医療用具３１との位置関係により、生体情報収集装置本体３０の受信する音声が微妙に異なり、医師等による診療に悪影響を及ぼしてしまうという可能性もあり、結果として機器の信頼性に疑念が生じるという課題も存在する。
【０００９】
本発明は、前記従来の課題を解決するものであり、患者側と医師等の側の双方にとっての使い勝手の向上と、機器の信頼性の向上を可能とする生体情報収集装置を提供することを目的とするものである。
【課題を解決するための手段】
【００１０】
前記従来の課題を解決するために、本発明の生体情報収集装置は、生体情報収集装置本体に各種医療用具と電気的に接続するための複数の接続部と、各種医療用具から収集した生体情報や機器の操作方法等を表示する表示部と、音声を取り込むための音声入力部を有し、音声入力部を生体情報収集装置本体から引き出せるような構成とするものである。
【００１１】
これにより、音声入力部と各種医療用具等から発せられる音声発生部との距離を小さくすることができ、また音声の受信に適した構成を実現することができるため、患者側と医師等の側の双方にとっての使い勝手の向上と、機器の信頼性の向上を可能とするものである。
【発明の効果】
【００１２】
本発明の生体情報収集装置は、患者側と医師等の側の双方にとっての使い勝手の向上と、機器の信頼性の向上を可能とするものである。
【発明を実施するための最良の形態】
【００１３】
第１の発明は、生体情報収集装置本体に各種医療用具と電気的に接続するための複数の接続部と、各種医療用具から収集した生体情報や機器の操作方法等を表示する表示部と、音声を取り込むための音声入力部を有し、前記音声入力部を生体情報収集装置本体から引き出せるような構成とした生体情報収集装置とすることにより、音声入力部と音声発生部との距離を最小限にすることが可能となり、また音声を受信することに適した構成を実現することが可能となるため、音声入力部の位置が音声の発生部から遠いため音声を十分に収集することができない、あるいは音声入力部の位置が悪く収集した音声の質が十分でないということに起因して生じる可能性のある、病院等にいる医師等に音声の伝送ができない、音声を受信した側が受信音を実際とは異なる音声であると認識してしまい、誤った処方を行ってしまう、といったことがなく、患者側と医師等の側の双方にとっての使い勝手の向上と、機器の信頼性の向上を可能とするものである。
【００１４】
第２の発明は、特に、第１の発明における音声入力部の上部に各種医療用具等を載置するための載置部を構成したことにより、音声入力部と医療用具の距離を最小に保つことが可能となり、心電計のように微細な音声情報を用いる医療用具にあっては、音声入力部と音声を発する医療用具との位置関係により、音声が微妙に異なってしまい、データの送受信に不具合を生じるといったことがなくし、機器の信頼性の向上が実現できるものである。また、医療用具の置かれた状態を安定させることも可能となり、音声の送信途中に異音が入るという可能性も低減することが可能となる。
【００１５】
第３の発明は、特に、第１または第２の発明における音声入力部を、生体情報収集装置本体の前面に構成したことにより、使用者に容易に載置部等の位置が認識できるようになり、使い勝手の向上が可能となるものである。
【００１６】
第４の発明は、生体情報収集装置本体に各種医療用具と電気的に接続するための複数の接続部と、各種医療用具から収集した生体情報や機器の操作方法等を表示する表示部と、生体情報収集装置本体から引き出せるような構成とした音声を取り込むための音声入力部と、前記音声入力部への音声入力を司るスイッチ部を有し、前記スイッチ部により前記音声入力部が生体情報収集装置本体から引き出された状態を検知した場合に音声入力されるように構成された生体情報収集装置とすることにより、患者等の使用者が音声の送信を意図した場合にのみ、音声を音声入力部に入力する構成を実現することが可能となり、送信する必要のない音声を送信してしまうということがなく、受信する側にとっても、必要のない音声を受信してしまい、煩わしく使い勝手が悪いということがなく、使い勝手の良い生体情報収集装置を提供することが可能となる。
【００１７】
第５の発明は、特に、第４の発明における音声入力部の上部に各種医療用具等を載置するための載置部を構成したことにより、音声入力部と医療用具の位置関係を最小に保つことが可能となり、心電計のような微細な音声情報を用いる医療用具にあっては、音声入力部と音声を発する医療用具との位置関係により、音声が微妙に異なってしまい、データの送受信に不具合を生じるといったことがなく、機器の信頼性の向上が実現できるものである。また、医療用具の置かれた状態を安定させることも可能となり、音声の送信途中に異音が入るという可能性も低減することが可能となる。
【００１８】
第６の発明は、特に、第４または第５の発明における音声入力部を、生体情報収集装置本体の前面に構成したことにより、使用者に容易に載置部等の位置が認識できるようになり、使い勝手の向上が可能となるものである。
【００１９】
以下、本発明の実施の形態について、図面を参照しながら説明する。なお、この実施の形態によって本発明が限定されるものではない。
【００２０】
（実施の形態１）
図１〜図４は、本発明の実施の形態１における生体情報収集装置を示すものである。
【００２１】
図１、２において、生体情報収集装置本体１は、その側面に各種生体情報等を採取するための体温計、あるいは血圧計等という医療用具２と電気的に接続し、生体情報収集装置本体１と医療用具２との間において、生体情報等の送受信を可能とする接続部３を有している。また、生体情報収集装置本体１には、生体情報等を伝送する場合、あるいは医師等からの質問等に回答する場合に用いる数字や文字等を入力するスイッチ類により構成された操作部４がその上面に構成されている。また、表示部５はＬＣＤ等で構成されており、その周囲を支える樹脂製のフレーム６により生体情報収集装置本体１の上面に固定されており、各種の生体情報やデータ、使用方法等の表示を行うためのものである。さらに、生体情報収集装置本体１には、その背面に信号線等を用いて電話回線等の一般公衆回線と電気的に接続し、生体情報等を病院等に勤務している医師等の元に送信する、あるいはその医師等からの情報や指示、アドバイス等を受信する送受信部７、さらには商用電源に接続される電源コード８が構成されている。
【００２２】
また、図３に、生体情報収集装置本体１の前面部分を詳細に示しているように、生体情報収集装置本体１には、その内部にマイク９（図示せず）が構成され、外殻を樹脂で覆われた外部からの音声を入力するための音声入力部１０が設けられている。また、音声入力部１０のマイク９の上方には音声がマイク９に伝わり易いように穴１１が設けられている。また、マイク９は、リード線等により生体情報収集装置本体１の制御部（図６、図７の制御部１２参照）と電気的に接続されており、マイク９への入力は、制御部へと入力させる仕組みとなっている。さらに、音声入力部１０の上面には医療用具２を載置することが可能な載置部１３が構成されている。この音声入力部１０はガイド１４に沿って、生体情報収集装置本体１から外側方向へ引き出し可能な構成となっている（図３は、音声入力部１０を引き出した場合を示す）。
【００２３】
さらに、図４において、医療用具２の一例を示した血圧計１５は、その本体部分に測定ボタン１６、及び測定した生体情報のデータを生体情報収集装置本体１に送信する送信ボタン１７を有している。さらに、測定する場合に患者の上腕部に装着する部分である装着部１８と、生体情報収集装置本体１の接続部３とリード線１９を介して電気的に接続される送信部２０も有する構成となっている。
【００２４】
以上のように構成された生体情報収集装置において、以下その動作、作用を説明する。
【００２５】
最初に、患者あるいはその家族は、患者の各種生体情報等のデータを測定する場合、適切な医療用具２を選択する。本実施の形態においては、医療用具２として血圧計１５を用いる場合について説明する。この場合、血圧計１５を生体情報収集装置本体１の前面に構成された載置部１３の上に置いて用いる。その後、患者あるいはその家族は、血圧計１５の装着部１８を上腕の適切な部分に装着する。そして、測定ボタン１６を操作することにより、血圧計１５内のポンプ（図示せず）が装着部１８内へ空気の注入を開始し、装着部１８内が加圧されることにより、測定が開始される。装着部１８内が所定の圧力まで加圧されると、血圧計１５に内蔵された減圧弁（図示せず）の作用により装着部１８内が減圧されることにより血圧計内の制御回路（図示せず）が、脈波の微小な変化を検出して、最高血圧、最低血圧、脈拍数等の測定が行われる構成となっている。
【００２６】
測定が終了した後、患者あるいはその家族は、リード線１９を用いて生体情報収集装置本体１の接続部３と血圧計１５の送信部２０を電気的に接続する。その後、血圧計１５に設けられた送信ボタン１７を操作することにより、血圧計１５で測定された、最高血圧、最低血圧、脈拍数といったデータは生体情報収集装置本体１に収集される構成となっている。この場合、載置部１３に血圧計１５を置くことにより、安定した状態で使用することができ、血圧測定中に血圧計１５に振動が加わってしまい、測定結果に異常を生じる、あるいは測定できないという不具合の発生を抑制することが可能となる。
【００２７】
その後、このようにして収集された生体情報等のデータは、生体情報収集装置本体１の背面に構成された送受信部７から電話回線等の一般公衆回線を経由して、病院等に勤務している医師等の元に送信され、医師等による遠隔診療を可能とするものである。
【００２８】
次に、医療用具２として心電計を用いる場合についての実施の形態を述べる。ある種の心電計は、心臓の鼓動を音声信号に変換することにより生体情報を採取する医療用具である。この場合、当然のことながら、生体情報収集装置本体１が心電計にて採取された音声をいかに正確に受信できるかが機器の信頼性を決定する最大の要因となる。言い換えれば、医師等は、音声のみをよりどころに診療を行うので、伝送される音声の品質が良くなければ正しい診療を行うことができないばかりではなく、最悪の場合は誤診をしてしまうという可能性も生じてしまう。
【００２９】
本実施の形態の場合、生体情報収集装置本体１の音声入力部１０を引き出し可能な構成とすることにより、心電計と音声入力部１０内のマイク９との距離を小さくすることが可能となる。その結果、マイク９に入力される音声が心電計から発せられる音声と同等のものとなる。また、音声入力部１０の上部に載置部１３を構成しているため、音声入力部１０の内部に構成されたマイク９と心電計の距離はさらに小さくなり、心電計から発せられる音声がそのままマイク９に入力されるような構成を実現している。また、両者が近接して構成されているため、他の音声にも影響されにくい構成となっており、生体情報収集装置本体１に伝送される音声の質の向上が可能となる。さらに、載置部１３を音声入力部１０の上部に構成することにより、心電計の置かれた状態が安定し、音声の送信の際に心電計を手で持つ場合等に比較して、位置が安定しないことに起因する異音の発生、あるいは入力される音声の音量のバラツキ等を回避することが可能なり、患者及び医師等の機器の使用者にとっては非常に大きなメリットがある。
【００３０】
上記実施の形態においては、音声入力部１０の上面に載置部１３を構成しているが、その逆に音声入力部１０の下面に載置部１３が構成されている場合も基本的な効果は同等である。さらに、両者の位置関係は左右であっても前後であっても良く、要は距離を小さく、かつ位置関係を安定させることができるような構成であれば良い。
【００３１】
また、上記実施の形態は、生体情報収集装置本体１の前面に音声入力部１０を構成した実施の形態であるが、音声入力部１０が生体情報収集装置本体１の側面、あるいは背面に構成されている場合もその効果は同等である。
【００３２】
さらに、上記実施の形態は、音声入力部１０の生体情報収集装置本体１からスライド方式で引き出す構成のものであるが、例えば、回転して引き出す等の構成のものであってもその効果は同等である。要は、生体情報収集装置本体１に収納されている音声入力部１０が可動式の構成となっていれば良いのである。
【００３３】
（実施の形態２）
図５〜図７は、本発明の実施の形態２における生体情報収集装置を示すものである。
【００３４】
本実施の形態においては、生体情報収集装置本体１に、その内部の音声入力部１０と接する壁面に電気接点を有するスイッチ部２１が配置されている。また、スイッチ部２１は、複数の端子２２を有しており、端子２２を介してリード線（図示せず）により制御部１２と電気的に接続されている。また、その他の構成については、実施の形態１と同等である。
【００３５】
以上のように構成された生体情報収集装置において、以下その動作、作用を説明する。
【００３６】
上記のスイッチ部２１は、音声入力部１０が生体情報収集装置本体１の内部にある場合には音声入力部１０の壁面に押され、それに伴いＯＮ状態となる。制御部１２は、スイッチ部２１がＯＮ状態であることを検知すると、患者あるいは医師等の使用者が音声入力を必要としない操作を行っていると判断し、音声入力部１０からの音声を自らに入力しない。次に、患者あるいは医師等の使用者が音声入力部１０を生体情報収集装置本体１から引き出すと、音声入力部１０の壁面が移動するためにスイッチ部２１がＯＦＦ状態となる。制御部１２は、スイッチ部２１のＯＦＦ状態を検知すると音声入力部１０への音声入力を受け付ける。
【００３７】
これにより、患者あるいは医師等の使用者が音声の送受信を意図した場合にのみ、音声が音声入力部１０から制御部１２に入力され、さらにその音声が送信されるという構成を実現することが可能となり、送信する必要のない音声を送信してしまうという従来の課題を解決することが可能となるばかりではなく、受信する側にとっても、必要のない音声を受信してしまい、煩わしく使い勝手が悪いという従来の課題を解決でき、使い勝手の良い生体情報収集装置を実現することが可能となる。
【００３８】
本実施の形態は、制御部１２によりスイッチ部２１のＯＮ／ＯＦＦを検知することにより、音声入力部１０からの入力をＯＮ／ＯＦＦする構成の実施の形態を示したものであるが、図７に示すように、スイッチ部２１によりハード的に直接音声入力部１０の電源をＯＮ／ＯＦＦすることにより、制御部１２への音声の入力のＯＮ／ＯＦＦを操作するものであっても効果は同等である。
【産業上の利用可能性】
【００３９】
以上のように、本発明にかかる生体情報収集装置は、患者側と医師等の側の双方にとっての使い勝手の向上と、機器の信頼性の向上を可能とするものであり、遠隔診療を実現するために有用である。
【図面の簡単な説明】
【００４０】
【図１】本発明の実施の形態１における生体情報収集装置の斜視図
【図２】同生体情報収集装置の構成を示す背面図
【図３】同生体情報収集装置の主要構成を示す部分拡大図
【図４】同生体情報収集装置に送信する医療用具の外観図
【図５】本発明の実施の形態２における生体情報収集装置の概念図
【図６】同生体情報収集装置の一例を示すブロック図
【図７】同生体情報収集装置の他例を示すブロック図
【図８】従来例における生体情報収集装置の構成図
【符号の説明】
【００４１】
１  生体情報収集装置本体
３  接続部
５  表示部
１０  音声入力部
１３  載置部
２１  スイッチ部
【図１】
2005102793.tif 000003
【図２】
2005102793.tif 000004
【図３】
2005102793.tif 000005
【図４】
2005102793.tif 000006
【図５】
2005102793.tif 000007
【図６】
2005102793.tif 000008
【図７】
2005102793.tif 000009
【図８】
2005102793.tif 000010